(57)【要約】    【課題】通常の荷重の際には内外の分割ブーム間が滑動すると共に、過荷重の際にも分割ブームが損傷されることのない構成の伸縮ブームを提供する。    【解決手段】断面形状が矩形をなす複数の分割ブーム１ａ〜１ｃがテレスコピックに組み合わされて伸縮ブーム１が構成される。内側に分割ブーム１ｂ（１ｃ）を嵌合する少なくとも１つの分割ブーム１ａ（１ｂ）の上部の前板に、ばね１９により内側の分割ブーム１ｂ（１ｃ）の前面に押圧されて接触するローラ１０を備える。このローラ１０の近傍に、過荷重時に内側の分割ブーム１ｂ（１ｃ）の前面が接触するスライドプレート１１を設ける。【選択図】図２
2006273473.tif 000002
【特許請求の範囲】
【請求項１】
断面形状が矩形をなす複数の分割ブームがテレスコピックに組み合わされて構成される伸縮ブームにおいて、
内側に分割ブームを嵌合する少なくとも１つの分割ブームの先端部に、ばねにより内側の分割ブームに押圧されて接触するローラと、このローラの近傍に取付けられて過荷重時に内側の分割ブームが接触するスライドプレートとを設けたことを特徴とする伸縮ブーム。
【発明の詳細な説明】
【技術分野】
【０００１】
本発明は、クレーン、高所作業車、掘削機または積み込み機等に用いられる伸縮ブームに係わり、特にその分割ブーム間に設けられる滑動装置の構成に関する。
【背景技術】
【０００２】
伸縮ブームはサイズの異なる矩形断面構造の複数の分割ブームがテレスコピックに組み合わされ、液圧シリンダやスプロケット等を用いて伸縮される。そして隣接する分割ブームの接触部の滑動を図るため、互いに内外に隣接する分割ブームのうち、外側の分割ブームの先端部内面と、内側の分割ブームの基礎部外面には、硬質樹脂製のスライドプレートが取付けられる（例えば特許文献１参照）。
【０００３】
【特許文献１】特開平６−２１９６８５号公報
【発明の開示】
【発明が解決しようとする課題】
【０００４】
前述のように、従来の分割ブームは滑動部材として樹脂製のスライドプレートを用いている。しかしこのスライドプレートは伸縮ブームを伸縮させるときの初期抵抗値が高く、滑らかな伸縮動作が困難であるという問題点がある。このため、ローラを滑動部材として用いることが考えられるが、ローラは基本的には線接触であるため、そのローラを取付けた分割ブームの内側の分割ブームに過荷重（設計上の最大荷重より大きな荷重）がかかると、内側の分割ブームにローラを中心にかかる曲げ力が大きくなり、内側の分割ブームにクラックなどの損傷が生じるおそれがある。
【０００５】
本発明は、上記問題点に鑑み、通常の荷重の際には内外の分割ブーム間が滑動すると共に、過荷重の際には分割ブームが損傷されることのない構成の伸縮ブームを提供することを目的とする。
【課題を解決するための手段】
【０００６】
本発明の伸縮ブームは、断面形状が矩形をなす複数の分割ブームがテレスコピックに組み合わされて構成される伸縮ブームにおいて、
内側に分割ブームを嵌合する少なくとも１つの分割ブームの上部に、ばねにより内側の分割ブームに押圧されて接触するローラと、このローラの近傍に取付けられて過荷重時に内側の分割ブームが接触するスライドプレートとを設けたことを特徴とする。
【発明の効果】
【０００７】
本発明の伸縮ブームは、過荷重を担っていない状態ではローラが内側の分割ブームに当接しているので、滑らかな伸縮動作が行なえる。一方過荷重が作用した場合にはスライドプレートが内側の分割ブームに面接触するので、ローラのように狭い接触面積で内側分割ブームに接触する場合ような過大な応力が内側の分割ブームに作用することがなく、分割ブームの損傷が免れる。
【発明を実施するための最良の形態】
【０００８】
図１は本発明による分割ブームの一実施の形態を示す作業機の断面図である。この実施の形態の作業機は高所作業車であり、伸縮ブーム１は、走行体２上に旋回装置２ａを介して設置された旋回体３に液圧シリンダ４により起伏可能に取付けられる。５はレベルシリンダ６により水平に保たれる作業台である。
【０００９】
伸縮ブーム１は上板、下板およびそれらの間に設けられる左右の側板からなる矩形状ノボックス構造をなし、内蔵する液圧シリンダやロープまたはチェーンなどの連動部材により伸縮されるものであるが、詳細な説明を省略する。本実施の形態においては、伸縮ブーム１は３本の分割ブーム１ａ〜１ｃにより構成された例を示すが、２本あるいは４本以上の分割ブームで構成される場合もある。
【００１０】
７は最も外側の分割ブーム１ａと中間の分割ブーム１ｂの先端部の下板内面に設けられ、それぞれ内挿される分割ブーム１b、１cの下板外面を移動可能に支持する滑動装置である。９は分割ブーム１ａ、１ｂの先端部の上板内面に設けられ、分割ブーム１ｂ、１ｃの上板外面を支持するための樹脂製のスライドプレートである。このスライドプレート９は、分割ブーム１ａ、１ｂの側板の内面にも取付けられる。また、これらのスライドプレート９は、分割ブーム１ｂ、１ｃの基端部の上板、下板、側板の各内面にも設けられる。
【００１１】
図２、図３は前記滑動装置７の構造を、過荷重でない通常の荷重がかかった状態と、過荷重がかかった状態とで示す断面図である。図２、図３において、１０はローラ、１１は分割ブーム１ａのローラ１０の近傍（上方と下方）に設けた樹脂製のスライドプレートである。
【００１２】
１２は前記分割ブーム１ａ（１ｂも同様）に外側に突出して設けられた筒状のローラ取付け部、１３はその外面を塞ぐようにボルト１４により取付けられたローラ取付け板である。前記ボルト１４はローラ取付け部１２の内部に設けた突出部１５のねじ孔１６に羅合して取付けられる、１７は前記ローラ１０の軸受であり、この軸受１７は貫通孔１７ａを有し、この貫通孔１７ａに前記ボルト１４がガイド部材として摺動自在に嵌挿されることにより、軸受１７が分割ブーム１ａの内外方向に案内されて動く。１９は軸受１７とローラ取付け板１３との間に設けられたばねであり、ローラ１０を内側の分割ブーム１ｂ（１ｃ）に押しつけるものである。
【００１３】
この構成において、伸縮ブーム１の伸縮に伴い内側の分割ブーム１ｂ（１ｃ）は図２、図３の矢印Ｘで示すように動く。このとき、伸縮ブーム１にかかる荷重が通常の荷重以下であれば、図２に示すように、ローラ１０のみが内側の分割ブーム１ｂ（１ｃ）に接触する。一方、荷台５が例えば建物に接触した状態で伸縮する等の理由により、伸縮ブーム１に過荷重がかかり、ばね１９が所定量以上に変位すると、内側の分割ブーム１ｂ（１ｃ）がスライドプレート１０に接触する。
【００１４】
このように、伸縮ブーム１が過荷重を担っていない状態ではローラ１０が内側の分割ブーム１ｂ（１ｃ）に当接しているので、滑らかな伸縮動作が行なえる。通常の動作ではほとんどが過荷重になることはないので、このような滑動装置７を設けることによって伸縮ブーム１は円滑に伸縮する。
【００１５】
一方過荷重が作用した場合には、スライドプレート１２が内側の分割ブーム１ｂに面接触するので、ローラ１０が分割ブーム１ｂ（１ｃ）に接触する場合のような過大な応力が内側の分割ブーム１ｂ（１ｃ）に作用することがなく、分割ブーム１ｂ（１ｃ）の損傷が免れる。
【図面の簡単な説明】
【００１６】
【図１】本発明による伸縮ブームの一実施の形態を示す作業機の側面図である。
【図２】本実施の形態の滑動装置を荷重が通常の荷重以下の状態について示す断面図である。
【図３】本実施の形態の滑動装置を荷重が通常の過荷重となった状態について示す断面図である。
【符号の説明】
【００１７】
１：伸縮ブーム、１ａ〜１ｃ：分割ブーム、２：走行体、２ａ：旋回装置、３：旋回体、４：液圧シリンダ、５：荷台、７：滑動装置、９：スライドプレート、１０：ローラ、１１：スライドプレート、１２：ローラ取付け部、１３：ローラ取付け板、１４：ボルト、１５：突出部、１６：ねじ孔、１７：軸受、１７ａ：貫通孔、１９：ばね
【図１】
2006273473.tif 000003
【図２】
2006273473.tif 000004
【図３】
2006273473.tif 000005